(57)【要約】最適な洗浄効果を有し、塗布された表面に残存物及び／又はストリークがほとんど又は全くない中性床用クリーナー組成物が開示される。組成物は、水、少なくとも２つの洗浄剤、少なくとも１つの増進剤、少なくとも１つの安定剤、及び少なくとも１つのキレート剤を含んでもよい。さらに、洗浄剤の１つは水溶性であり、洗浄剤のもう１つは水不溶性である。２つの洗浄剤の量はまた、約１０．５〜約１２．５の範囲の親水性−親油性バランスを有してもよい。
2019507232.tif 000002
【特許請求の範囲】
【請求項１】
洗浄組成物であって、
第１の量の第１の洗浄剤と、
第２の量の第２の洗浄剤と、
少なくとも１つの増進剤と、を含み、
第１の量の第１の洗浄剤と第２の量の第２の洗浄剤とのブレンドは、約１０．５〜約１２．５の範囲の親水性−親油性バランスを有する、洗浄組成物。
【請求項２】
前記第１の洗浄剤と第２の洗浄剤の総量に対する前記増進剤の百分率が約１％〜約１０％の範囲内である、請求項１に記載の洗浄組成物。
【請求項３】
前記第１の洗浄剤及び前記第２の洗浄剤が、下記の式に表されるアルキルポリアルキレングリコールエーテルである、請求項１に記載の洗浄組成物。
［式１］
ＲＯ（ＬＯ）ｋ（ＣＨ２ＣＨ２Ｏ）ｍＨ
（式中、ＲがＣ８〜Ｃ１２アルキル基であり、ＬがＣＨ２ＣＨ２ＣＨ２又はＣＨ２ＣＨ２ＣＨ２ＣＨ２であり、ｋは１〜２であり、ｍは２〜１４であり、ＬＯ及びＣＨ２ＣＨ２Ｏ基はランダム又はブロック順である。）
【請求項４】
前記アルキルポリアルキレングリコールエーテルの一方が水溶性であり、前記アルキルポリアルキレングリコールエーテルの他方が水不溶性である、請求項３に記載の洗浄組成物。
【請求項５】
前記組成物が、少なくとも１つの安定剤をさらに含む、請求項４に記載の洗浄組成物。
【請求項６】
前記少なくとも１つの安定剤が、水不溶性のアルキルポリアルキレングリコールエーテルを水中に分散するようにする、請求項５に記載の洗浄組成物。
【請求項７】
前記洗浄組成物がアルコールエトキシレートをさらに含む、請求項１に記載の洗浄組成物。
【請求項８】
前記アルコールエトキシレートが約２重量％〜約６重量％の量で存在する、請求項７に記載の洗浄組成物。
【請求項９】
前記第１の洗浄剤と前記第２の洗浄剤の総量が、約１５重量％〜約３０重量％である、請求項１に記載の洗浄組成物。
【請求項１０】
前記少なくとも１つの増進剤が、約０．１重量％〜約４重量％の量で存在する、請求項１に記載の洗浄組成物。
【請求項１１】
前記少なくとも１つの増進剤が有機塩である、請求項１０に記載の洗浄組成物。
【請求項１２】
前記有機塩がクエン酸ナトリウムである、請求項１１に記載の洗浄組成物。
【請求項１３】
前記少なくとも１つの安定剤がスルホン酸塩を含む、請求項５に記載の洗浄組成物。
【請求項１４】
前記スルホン酸塩がキシレンスルホン酸ナトリウムである、請求項１３に記載の洗浄組成物。
【請求項１５】
前記洗浄組成物が、キレート剤、添加剤、増進剤、香料、芳香剤、又はこれらの組み合わせの少なくとも１つをさらに含む、請求項１に記載の洗浄組成物。
【請求項１６】
前記洗浄組成物が約６．５〜約９のｐＨ値を有する、請求項１に記載の洗浄組成物。
【請求項１７】
前記洗浄組成物が水で希釈されてすぐに使える洗浄組成物を生成し得る、請求項１に記載の洗浄組成物。
【請求項１８】
洗浄組成物であって、
第１の界面活性剤と第２の界面活性剤の総量を約１５重量％〜約３０重量％、
第３の界面活性剤の量を約２重量％〜約６重量％、
少なくとも１つの増進剤の量を約０．１重量％〜約４重量％、を含み、
前記第１及び第２の界面活性剤は、下記の式に表され、
［式２］
ＲＯ（ＬＯ）ｋ（ＣＨ２ＣＨ２Ｏ）ｍＨ
（式中、ＲはＣ８〜Ｃ１２アルキル基であり、ＬはＣＨ２ＣＨ２ＣＨ２又はＣＨ２ＣＨ２ＣＨ２ＣＨ２であり、ｋは１〜２であり、ｍは２〜１４であり、ＬＯ及びＣＨ２ＣＨ２Ｏ基は、ランダム又はブロック順である。）、
前記第１界面活性剤と第２の界面活性剤の総量は、約１０．５〜約１２．５の範囲の親水性−親油性バランスを有し、
前記第３の界面活性剤が第２級アルコールエトキシレートであり、
前記第１の界面活性剤と前記第２の界面活性剤と第３の界面活性剤の合計に対する増進剤の百分率は、約１％〜約１０％の範囲内である、洗浄組成物。
【請求項１９】
前記洗浄組成物が水で希釈されてすぐに使える洗浄組成物を生成し得る、請求項１８に記載の洗浄組成物。
【請求項２０】
前記少なくとも１つの増進剤がクエン酸ナトリウムである、請求項１８に記載の洗浄組成物。
【請求項２１】
前記洗浄組成物が安定剤をさらに含む、請求項１８に記載の洗浄組成物。
【請求項２２】
洗浄組成物であって、
第１の界面活性剤と第２の界面活性剤と、
安定化剤と、を含み、
前記第１の界面活性剤は水溶性であり、前記第２の界面活性剤は水不溶性であり、
前記安定化剤は、添加する際、透明な水系組成物を提供する、洗浄組成物。
【発明の詳細な説明】
【技術分野】
【０００１】
［関連出願の相互参照］
本出願は、２０１６年３月４日に出願された米国仮特許出願第６２／３０４，００９号の利益を主張し、あらゆる目的のために、その全内容が参照により本明細書に組み込まれる。
［発明の分野］
【０００２】
本開示は、一般に、床用クリーナー組成物に関し、より詳細には、洗浄効率の向上及び残存物の低減を示す中性床用クリーナー組成物に関する。特に、床用クリーナー組成物は、硬質表面上での使用のためのものであり、水、洗浄剤、増進剤、安定剤、及びキレート剤を含んでもよい。
【背景技術】
【０００３】
異物汚染（ｓｏｉｌ  ｃｏｎｔａｍｉｎａｔｉｏｎ）を低減するために、硬質表面、例えば床面を洗浄及び／又は処理するために多くの組成物が利用可能である。現在の洗浄組成物は、酸性、中性又はアルカリ性のいずれかのｐＨを有する。特に、中性床用クリーナー組成物は、それらの環境に優しい性質であり、ユーザに対する毒性が低下するか又は全くないために有利である。例えば、理想的な中性床用クリーナー組成物が使用される際、市販の酸性クリーナー又は塩基性クリーナーのいずれかでの使用に必要とされる個人用保護具が必要でない可能性がある。さらに、中性床用クリーナー組成物は、酸性又は塩基性床用クリーナー組成物よりも床面への損傷（例えば、床面上の光沢の損失）を少なくすることができる。
【０００４】
多くの洗浄組成物は、化合物を石鹸に化学的に変換し従って、水溶性にする、即ち鹸化するか、又は水相中に油相を懸濁させて洗い流す、即ち乳化することにより表面から異物を除去する。しかし、前述のような向上した洗浄特性を提供するために、アルカリ性又は酸性の洗浄剤が望ましい場合がある。特に、アルカリ性洗浄剤は、公知の中性床用洗浄組成物と比較して、より多くの異物及び／又は他の望ましくない成分を塗布領域から除去することによって、洗浄効率を改善するのに役立ち得る。
【０００５】
直観的には、洗浄組成物には高い洗浄効果が要求される。特に、多くの洗浄組成物では、異物、埃、及び／又は油分の有効な除去を有する製剤を望んでいる。さらに、多くの洗浄組成物では、使用後に残存物がほとんど又は全く残らず、床面に対する損傷を与えないか又は低下させない製剤を望んでいる。しかし、最適な洗浄効果を有する多くの従来の洗浄組成物は、本質的に床損傷を引き起こし、及び／又は残存物を残す。以下のように、多くの洗浄組成物は、床損傷を防止するために洗浄効果を犠牲にしなければならず、またその逆もある。
【０００６】
従って、商業的に知られている及び入手可能なクリーナーよりも向上した洗浄性能及び効率を有する中性床用クリーナー組成物を提供することが非常に重要である。具体的には、現在入手可能な床用クリーナー組成物の洗浄性能特性と同等又はそれを超える洗浄性能特性を提供しながら、保護具をほとんど又は全く使用しない中性床用洗浄組成物が必要とされる。さらに、床面への損傷が少なくなり、残された残存物のレベルが低下することができる中性床用洗浄組成物が必要とされる。
【０００７】
従って、本開示の実施形態の利点は、改善された洗浄性能を有する中性床用クリーナー組成物を開発することにある。本開示の実施形態の別の利点は、他の市販のクリーナーよりも改善された洗浄効率（例えば同等又は追加の異物汚染の除去を有する中性床用クリーナー組成物を提供することにある。本開示の一実施形態の別の利点は、処理された床面の光沢を保持し、処理された床面に残存物が減少されるか又は全くないようにしながら、顕著な洗浄性能を提供する中性床用クリーナー組成物を提供することにある。酸性及び／又は塩基性溶液を使用しない、本開示の一実施形態による特有の中性床用洗浄組成物は、既存の洗浄剤と比較して同一の又は高い洗浄効率を有する組成物を提供することによって、驚くべき予期しない結果をもたらす。
【発明の概要】
【課題を解決するための手段】
【０００８】
いくつかの実施形態では、本開示は、塗布される表面を効率的かつ効果的に洗浄する洗浄組成物を提供する。他の非限定的な実施形態では、本開示は、有効成分の特有の組み合わせを床面及び他の硬質表面に塗布することによって消費者に効率的な洗浄経験の利益を提供する。いくつかの実施形態では、水溶性エトキシル化アルコールと水不溶性エトキシル化アルコールの特有のブレンドを含めることによって、安定性、効率及び有効性の改善が達成される。本開示の一実施形態による特有の製剤は、性能、安全性、及び塗布された床面又は他の硬質表面への損傷がが減少するか又は全くないという驚くべき予期しない結果をもたらす。
【０００９】
例示的な実施形態では、本開示は中性床用クリーナー組成物を開示する。組成物は、水、少なくとも２つの洗浄剤、少なくとも１つの安定剤、少なくとも１つのキレート剤、及び少なくとも１つの増進剤を含んでもよい。一実施形態では、洗浄剤の１つは水溶性であり、洗浄剤のもう１つは水不溶性である。一実施形態では、少なくとも２つの洗浄剤は、下記の式に表される２つのアルキルポリアルキレングリコールエーテルを含んでもよい。
［式１］
ＲＯ（ＬＯ）ｋ（ＣＨ２ＣＨ２Ｏ）ｍＨ
（式中、ＲはＣ８〜Ｃ１２アルキル基であり、ＬはＣＨ２ＣＨ２ＣＨ２又はＣＨ２ＣＨ２ＣＨ２ＣＨ２であり、ｋは１〜２であり、ｍは２〜１４である。好ましくは、Ｒは分岐状アルキル基を含んでもよい。ＬＯ及びＣＨ２ＣＨ２Ｏ基は、ランダム又はブロック順であってもよい）。
いくつかの実施形態では、２つのアルキルポリアルキレングリコールエーテルの一方は水溶性であり、２つのアルキルポリアルキレングリコールエーテルの他方は水不溶性である。２つのアルキルポリアルキレングリコールエーテルは、組成物の総重量に基づいて約９％〜約２０％、より好ましくは約１２％〜約１８％の量で存在することに考えられる。さらに、一実施形態では、少なくとも２つの洗浄剤は、アルキルオキシポリエチレンオキシエタノール又はアルコールエトキシレートをさらに含んでもよい。いくつかの実施形態では、アルキルオキシポリエチレンオキシエタノール又はアルコールエトキシレートは、組成物の総重量に基づいて、約１％〜約１５％、又はより好ましくは約２％〜約６％の量で存在する。
【００１０】
一実施形態では、水は、組成物中に、組成物の総重量に基づいて約５０％〜約８０％、又は約５５％〜約７５％、又はより好ましくは約６０％〜約７０％の量で存在する。
【００１１】
さらに、一実施形態では、少なくとも１つの増進剤は、有機塩を含んでもよい。いくつかの実施形態では、有機塩はクエン酸ナトリウムであってもよい。クエン酸ナトリウムは、組成物の総重量に基づいて約０．１％〜約４％の量であってもよいことに考えられる。
【００１２】
一実施形態では、少なくとも１つの安定剤は、スルホン酸塩を含んでもよい。いくつかの実施形態では、スルホン酸塩は、キシレンスルホン酸ナトリウムであってもよい。さらに、いくつかの実施形態では、少なくとも１つのキレート剤は、イミノジコハク酸四ナトリウムを含んでもよい。さらに、本明細書に開示された実施形態は、添加剤、増進剤、芳香剤、ｐＨ調整剤、及び／又は染料の少なくとも１つを含んでもよい。一実施形態では、組成物は中性ｐＨ値を有する。このように、組成物のｐＨ値は、約６．５〜約９の範囲、好ましくは約６．５〜約８．５の範囲である。
【００１３】
例示的な実施形態では、本開示は、中性床用クリーナー組成物を提供する。組成物は、（ａ）組成物の総重量に基づいて約５０％〜約７０％の量の水と、（ｂ）下記の式に表され、集合的に組成物の総重量に基づいて約９％〜約２０％の量の少なくとも２つ以上のアルキルポリアルキレングリコールエーテルと、（ｃ）組成物の総重量に基づいて約０．１％〜約２％の量の少なくとも１つの増進剤と、（ｄ）組成物のｐＨ値を約６．５〜約９の範囲にする少なくとも１つのｐＨ調整剤と、（ｅ）少なくとも１つの安定剤と、（ｆ）少なくとも１つのキレート剤とを含む。
［式２］
ＲＯ（ＬＯ）ｋ（ＣＨ２ＣＨ２Ｏ）ｍＨ
（式中、Ｒは分枝状Ｃ８〜Ｃ１２アルキル基であり、ＬはＣＨ２ＣＨ２ＣＨ２又はＣＨ２ＣＨ２ＣＨ２ＣＨ２であり、ｋは１〜２であり、ｍは２〜１４の整数であり、ＬＯ及びＣＨ２ＣＨ２Ｏ基は、ランダム又はブロック順である）
【００１４】
さらに、この例示的な実施形態では、少なくとも２つのアルキルポリアルキレングリコールエーテルの１つは水溶性であり、少なくとも２つのアルキルポリアルキレングリコールエーテルのもう１つは水不溶性である。いくつかの実施形態では、組成物は、アルキルオキシポリエチレンオキシエタノール又はアルコールエトキシレートをさらに含んでもよい。
【００１５】
更なる例示的な実施形態では、本開示は、中性ｐＨ条件下で床を洗浄する方法を開示する。本方法は、（ａ）約１：６４〜約１：１０２４の比で濃縮された中性床用クリーナーと水を混合してクリーナー溶液を形成するステップであって、前記濃縮された中性床用クリーナーは前記組成物を含むステップと、（ｂ）前記洗浄溶液を床に塗布するステップとを含む。
【図面の簡単な説明】
【００１６】
【図１】商業的に知られている製品及び本開示の実施形態による、複数の中性床用洗浄組成物の異物除去率と、親水性−親油性バランス（ＨＬＢ）数、全界面活性剤の量、界面活性剤に対する増進剤の量との関係を示す。
【００１７】
本開示の実施形態の他の態様及び利点は、以下の詳細な説明及び特許請求の範囲を考慮して明らかになり、類似の構造は同様又は類似の参照符号を付する。
【発明を実施するための形態】
【００１８】
本発明の任意の実施形態が詳細に開示される前に、本発明は、その適用において、以下の説明に記載されるか又は以下の図面に示される構成の詳細及び構成要素の配置に限定されないことを理解されるべきである。本発明は、他の実施形態が可能であり、様々な方法で行われるか又は実施されることが可能である。
【００１９】
以下の説明は、当業者が本発明の実施形態を製造し、使用することを可能にするために提示される。例示された実施形態に対する様々な変更は、当業者には容易に明らかであり、本明細書の包括的な原理は、本発明の実施形態から逸脱することなく他の実施形態及び応用に適用してもよい。従って、本発明の実施形態は、例示された実施形態に限定されることを意図するものではなく、本明細書に開示された原理及び特徴と一致する最も広い範囲を与えられるべきである。以下の詳細な説明は図面を参照して読むべきである。必ずしも縮尺通りではない図面は、選択された実施形態を示し、本発明の実施形態の範囲を限定するものではない。当業者はまた、本明細書で提供される実施例が多くの有用な代替物を有し、本発明の実施形態の範囲内に入ることを認識し得る。
【００２０】
本開示は、中性床用クリーナー組成物及びそのような組成物を使用する方法に関する。さらに、本明細書中に開示される本発明の洗浄組成物の実施形態は、改善された洗浄効果、効果的な異物除去を示し、塗布される処理された表面上に残存物をほとんど又は全く残さない。さらに、本発明の洗浄組成物のいくつかの実施形態の他の態様は、低い初期泡及び非常に低い泡立ち特性を有する製剤を提供する。好ましい実施形態では、本発明の洗浄組成物は、スクラビング又はリコート用途のような深層洗浄用途に使用するためのものである。本開示は多くの異なる形態で具体化されてもよいが、本開示は本開示の原理の例示としてのみ考慮されるべきであり、本開示を例示の実施形態に限定することを意図するものではないという理解と共にいくつかの特定の実施形態を本明細書で説明する。
【００２１】
本明細書で使用される用語「約」又は「略」は、例えば実社会で濃縮液又は溶液を製造するために使用される典型的な測定及び液体取り扱い順序によって、これらの手続きにおける故意ではない誤りによって、組成物を製造するか又は方法を実施するために使用される成分の製造社、供給源又は純度の差異を介して、生じる数値的量の変動を指す。用語「約」はまた、特定の初期混合物に起因する組成物についての異なる平衡条件のために異なる量を包含することがある。一実施形態では、用語「約」は、指定された値の±５％の範囲を指す。
【００２２】
本明細書で使用される用語「濃縮された」は、販売、出荷、保管又は任意の他の適切な状況のために希釈されていない製剤で形成された組成物を指す。これらの非希釈製剤は、使用前に水で希釈するように設計されている。本明細書で使用される用語「希釈された」及び「すぐに使える」は、さらに希釈することなくそのまま使用することを意図した組成物を意味してもよい。本明細書に開示された濃縮された洗浄溶液は、所望に応じて希釈されてもよいことが理解されるべきである。好ましい実施形態では、濃縮された洗浄溶液を水で約１：６４〜約１：１０２４の容量で希釈してもよい。
【００２３】
塗布中に、脱イオン（ＤＩ）水を使用して本発明の中性床用クリーナー組成物を製造してもよい。しかし、出願人は、他の種類の水もまた本開示に適していると考えている。
【００２４】
本明細書で使用される用語「ｓｏｉｌ」は、限定するものではないが、グラウトされた採石場のタイル床などのような硬質表面上に形成された土壌を指し、タンパク質性土壌、糖質土壌、硬度成分又は洗浄材料又はその両方に由来する土壌、遊離脂肪酸又はナトリウム、カルシウム、マグネシウムなどの脂肪酸塩を含む脂肪性土壌及び中性脂肪又はそれらの混合物を含む群から選択される少なくとも２つの成分の混合物を含む。さらに、用語「ｓｏｉｌ」は、油又は油ブレンドを指す場合もある。一般に、本明細書で使用される用語「ｓｏｉｌ」は、一般に、表面上の任意の異物を指す。
【００２５】
本明細書で使用される用語「洗浄」は、異物の除去、漂白、微生物個体群の減少、すすぎ、又はそれらの組み合わせの実施又は補助を意味する。一実施形態では、本明細書で使用される用語「洗浄剤」は、硬質表面から異物の汚染物質又は複数の異物の汚染物質の全て又は一部を除去することができる任意の化合物又は物質を指す。一実施形態では、本開示の洗浄剤は、非イオン性界面活性剤を含んでもよい。
【００２６】
本明細書で使用される用語「重量パーセント（ｗｅｉｇｈｔ  ｐｅｒｃｅｎｔ）」、「重量％（ｗｅｉｇｈｔ％）」、「重量百分率（ｐｅｒｃｅｎｔ  ｂｙ  ｗｅｉｇｈｔ）」、「ｗｔ％（％  ｂｙ  ｗｅｉｇｈｔ）」、及びそれらの変形は、物質の重量を組成物の総重量で割って１００を掛けたものとしての物質の濃度を指す。本明細書中で使用される「百分率」、「％」などは、「重量百分率」、「重量％」などと同義であり得ることが理解される。
【００２７】
本明細書で使用される用語「水溶性」は、有意な濃度、例えば約１重量％を超える濃度で水に溶解し得る化合物を指す。本明細書で使用される用語「水不溶性」は、水中にわずかな濃度、例えば約０．１重量％未満の濃度で溶解することができる化合物を指す。
【００２８】
本明細書で使用される用語「硬質表面」には、床、壁、シャワー、シンク、トイレ、浴槽、カウンタトップ（Ｃｏｕｎｔｅｒｔｏｐ）、窓、鏡、車両などが挙げられる。好ましい一実施形態では、洗浄組成物は硬質床面を洗浄するために使用される。さらに、本発明の中性クリーナー製品を塗布及び／又は貼付することができる任意の表面が考えられ、任意の表面では、例えば、カーペット、ラグ、ドレープ、カーテン、室内装飾品などのような軟質表面が挙げられる。さらに、本発明の中性クリーナー製品は、例えば、木材、金属、セラミック、ガラス、高分子、硬質床タイル、塗装面、紙、石積み材料、岩石、繊維／複合材料、ゴム、コンクリート等を含む他の硬質基板にも同様に塗布してもよい。本発明の中性クリーナー製品は、例えば、予め染色された、染色後の、予め製造された、製造後の表面などを含む、任意の製造された表面に塗布されることができることも考えられる。さらに、本発明の中性クリーナー製品は、表面を含む特定の製品又は物体の製造プロセス中に塗布されてもよい。本発明の中性クリーナー製品が塗布される及び／又は貼付される表面は、使用される特定の本発明の中性クリーナー製品に依存して、乾燥した、実質的に乾燥した、濡れた、実質的に濡れた、湿潤した、湿っていることがある。さらに、本開示の本発明の中性クリーナー製品は、実質的に平坦な、滑らかな、及び／又は平らな表面、又は粗い、凹凸のある、滑らかでない、ステップ状の、傾斜した、傾いた、斜めになる、傾いている及び／又は乱れた表面を含む他の任意の表面に塗布してもよい。
【００２９】
本明細書で使用される用語「アルキル」は、直鎖及び分枝鎖基及び環状基の両方を含む。直鎖及び分枝鎖基は、特に明記しない限り、約３０個以下の炭素原子を有してもよい。環状基は、単環式又は多環式であってもよき、いくつかの実施形態では、約３〜約１０個の炭素原子を有してもよい。本明細書で使用される用語「分枝鎖」は、その鎖構造が少なくとも１つの第２級及び／又は第３級炭素を有する任意のアルキル又は類似の基を指す。
［洗浄剤／界面活性剤］
【００３０】
本開示の一実施形態の中性床用洗浄組成物は、最適な洗浄効果を確実にするために、少なくとも１つの洗浄剤、又はより詳しくは少なくとも１つの界面活性剤を必然的に含む。好ましい実施形態では、中性床用洗浄組成物は、２つ、好ましくは３つの界面活性剤を含む。さらに、界面活性剤は、洗浄組成物が塗布された表面上に残存物及び／又はストリークが減少しているか又は全く残っておらず、現在知られている中性床用洗浄組成物と比較して改善された洗浄効果を提供するように選択された。上述の特性を有する特定の界面活性剤については、本明細書でさらに説明する。
【００３１】
一般に、界面活性剤は、該床用クリーナー組成物中に複数の範囲で組み込むことができる。一実施形態では、洗浄組成物は、約４％〜約４０％の範囲の量の、好ましくは約５％〜約２５％の範囲の量の界面活性剤又は界面活性剤の組み合わせを含む。
【００３２】
本明細書中で使用される用語「界面活性剤」は、２つの液体間の界面張力を低下させる化合物を指す。本明細書中で使用される用語「非イオン性界面活性剤」は、界面活性剤を形成する分子が帯電していない界面活性剤を指す。
【００３３】
非イオン性界面活性剤には、長鎖アルコール、例えば脂肪アルコール、セチルアルコール、ステアリルアルコール、セトステアリルアルコール（主にセチルアルコール及びステアリルアルコールからなる）及びオレイルアルコールが挙げられる。非イオン性界面活性剤には、オクタエチレングリコールモノドデシルエーテル又はペンタエチレングリコールモノドデシルエーテルなどのポリオキシエチレングリコールアルキルエーテル：ＣＨ３-（ＣＨ２）１０-１６-（Ｏ−Ｃ２Ｈ４）１-２５-ＯＨが挙げられる。非イオン性界面活性剤にはまた、ポリオキシプロピレングリコールアルキルエーテル：ＣＨ３-（ＣＨ２）１０-１６-（Ｏ−Ｃ３Ｈ６）１-２５-ＯＨが挙げられる。非イオン性界面活性剤にはまた、デシルグルコシド、ラウリルグルコシド、及びオクチルグルコシドなどのグルコシドアルキルエーテル：ＣＨ３-（ＣＨ２）１０-１６-（Ｏ−グルコシド）１-３-ＯＨが挙げられる。非イオン性界面活性剤には、さらにＳｉｇｍａ  Ａｌｄｒｉｃｈから購入してもよいＴｒｉｔｏｎ  Ｘ−１００などのポリオキシエチレングリコールオクチルフェノールエーテル：Ｃ８Ｈ１７-（Ｃ６Ｈ４）-（Ｏ−Ｃ２Ｈ４）１-２５-ＯＨが挙げられる。非イオン性界面活性剤にはまた、ノノキシノール−９（Ｎｏｎｏｘｙｎｏｌ−９）などのポリオキシエチレングリコールアルキルフェノールエーテル：Ｃ９Ｈ１９-（Ｃ６Ｈ４）-（Ｏ−Ｃ２Ｈ４）１-２５-ＯＨが挙げられる。非イオン性界面活性剤には、さらにラウリン酸グリセリルのようなグリセロールアルキルエステルが挙げられる。非イオン性界面活性剤には、ポリオキシエチレングリコールソルビタンアルキルエステル（例えばポリソルベート）、ソルビタンアルキルエステル（例えばスパン（ｓｐａｎ））、コカミド（Ｃｏｃａｍｉｄｅ）ＭＥＡ、コカミドＤＥＡ、ドデシルジメチルアミン酸化物、ポリエチレングリコールとポリプロピレングリコールのブロック共重合体（例えばポロキサマー）、又はポリエトキシル化獣脂アミン（例えば、ＰＯＥＡ）又は任意の他の適切な化合物が挙げられる。一実施形態では、本開示の非イオン性界面活性剤には、アルキルポリアルキレングリコールエーテル及び／又はアルコールエトキシレートが挙げられる。一実施形態では、本発明の非イオン性界面活性剤には、さらにアルキルオキシポリエチレンオキシエタノール及び／又はアルコールエトキシレートが挙げられる。
【００３４】
本明細書で使用される用語「アルキルエトキシレートアルコール」、「エトキシレートアルコール」、「エトキシル化アルコール」及び「アルコールエトキシレート」は、同じ組成物を指す場合があり、交換可能に使用されてもよい。さらに、本明細書で使用される用語「アルキルエトキシレートアルコール」は、下記の式に表される化合物を指す。
［式３］
ＲＯ（ＣＨ２ＣＨ２Ｏ）ｍＨ
式中、ｍは約１〜約１５の整数であり、Ｒはアルキル部分に約６〜約２４個の炭素原子を含む直鎖状又は分岐状の脂肪族ラジカルであり、約１〜約１８の親水性−親油性バランス（ＨＬＢ）数、好ましくは約１０．５〜約１２．５のＨＬＢ数を有する。好ましくは、アルキルエトキシレートアルコールは、約８〜約２０個の炭素原子を有するＲ基を含み、直鎖状第１級エトキシル化アルコール、分岐状第１級エトキシル化アルコール、又は第２級エトキシル化アルコールの１つである。より好ましくは、Ｒ基は約１１〜約１６個の炭素原子を有する。エトキシレート基に関して、ｍは約１〜約５の数であることが好ましい。いくつかの実施形態では、本開示のアルキルエトキシレートアルコールは、エトキシル化ゲルベアルコール（Ｇｕｅｒｂｅｔ  ａｌｃｏｈｏｌｓ）である。
【００３５】
本明細書で使用される用語「ゲルベアルコール」は、ゲルベ合成反応を使用して製造されたベータ分岐を有する第１級アルコールを指す。本明細書で使用される「エトキシル化ゲルベアルコール」又は「ゲルベ界面活性剤」は、ゲルベアルコールから製造された界面活性剤を指す。例えば、ゲルベ界面活性剤には、ゲルベアルコール及びアルキレン酸化物又はエチレン酸化物から製造された非イオン性界面活性剤が挙げられる。
【００３６】
好ましい一実施形態では、用語「アルキルエトキシレートアルコール」はまた、反復エトキシ基のメチレン基の１つに少なくとも１つのＣ１〜Ｃ４アルキル基が存在する分岐状アルコールアルコキシレートを含んでもよい。いくつかの実施形態では、アルキルエトキシレートアルコール又はエトキシル化ゲルベアルコールは、市販の製品である。
【００３７】
市販のエトキシル化アルコール製品の他の例には、さらにゲナポール（Ｇｅｎａｐｏｌ）（登録商標）ＵＤ０３０（３ＥＯを有するＣ１１−オキソ−アルコールポリグリコールエーテル）、ゲナポール（登録商標）ＵＤ０５０（５ＥＯを有するＣ１１−オキソ−アルコールポリグリコールエーテル）、ゲナポール（登録商標）ＵＤ０７９、ゲナポール（登録商標）ＵＤ０８０（８ＥＯを有するＣ１１−オキソ−アルコールポリグリコールエーテル）、ゲナポール（登録商標）ＵＤ０８８、及びゲナポールＵＤ１１０（１１ＥＯを有するＣ１１−オキソ−アルコールポリグリコールエーテル）などのＣｌａｒｉａｎｔのゲナポール（登録商標）ＵＤタイプが挙げられる。市販の製品の他の例は、ゲナポール（登録商標）Ｘ０４０（４ＥＯを有するイソトリデシルアルコールポリグリコールエーテル）及びゲナポール（登録商標）Ｘ０８０（８ＥＯを有するイソ−トリデシルアルコールポリグリコールエーテル）などのＣｌａｒｉａｎｔによって提供されるゲナポール（登録商標）Ｘ製品を含む。
【００３８】
一実施形態では、組成物は、少なくとも２つの洗浄剤を含む。この特定の実施形態では、少なくとも２つの洗浄剤は、２つの非イオン性界面活性剤を含む。この実施形態では、２つの非イオン性界面活性剤は、ゲルベ合成反応から製造されたアルコキシル化ゲルベアルコールである。特に、２つの非イオン性界面活性剤は、下記の式に表されるアルキルポリアルキレングリコールエーテルである。
［式４］
ＲＯ（ＬＯ）ｋ（ＣＨ２ＣＨ２Ｏ）ｍＨ
式中、ＲはＣ８〜Ｃ１２アルキル基であり、ＬはＣＨ２ＣＨ２ＣＨ２又はＣＨ２ＣＨ２ＣＨ２ＣＨ２であり、ｋは１〜２であり、ｍは２〜１４であり、ＬＯ及びＣＨ２ＣＨ２Ｏ基は、ランダム又はブロック順である。好ましくは、Ｒは分岐状アルキル基であってもよい。さらに、好ましい実施形態では、２つのアルキルポリアルキレングリコールエーテルの一方は水溶性であり、他方は水不溶性である。２つのアルキルポリアルキレングリコールエーテルは、各々、少なくとも約２重量％の量であり、上述のように、好ましい実施形態では、２つのアルキルポリアルキレングリコールエーテルは、約４％〜約４０％の量である。本明細書における洗浄剤又は界面活性剤として使用されてもよい市販のアルキルポリアルキレングリコールエーテルの例としては、ＢＡＳＦによって製造されるルテゾール（Ｌｕｔｅｎｓｏｌ）（登録商標）ＸＬタイプ、例えばルテゾール（登録商標）ＸＬ４０、ルテゾール（登録商標）ＸＬ５０、ルテゾール（登録商標）ＸＬ６０、ルテゾール（登録商標）ＸＬ７０、ルテゾール（登録商標）ＸＬ７９、ルテゾール（登録商標）ＸＬ８０、ルテゾール（登録商標）ＸＬ９０、ルテゾール（登録商標）ＸＬ９９、ルテゾール（登録商標）ＸＬ１００及びルテゾール（登録商標）１４０が挙げられるが、これらに限定するものではない。ルテゾール（登録商標）ＸＬタイプは以下の構造式に表される。
［式５］
Ｃ１０Ｈ２１Ｏ（ＣＨ２ＣＨ２ＣＨ２Ｏ）ａ（ＣＨ２ＣＨ２Ｏ）ｂＨ
（式中、ａは平均値１．０〜１．５であり、ｂは４〜１４である。例として、ルテゾール（登録商標）ＸＬ４０（ＨＬＢ＝１０．５）では、ｂは４であり、ルテゾール（登録商標）ＸＬ７０（ＨＬＢ＝１２．５〜１３．０）では、ｂは７である。）
【００３９】
さらに、好ましい実施形態では、少なくとも２つの洗浄剤は、第３の洗浄剤をさらに含む。第３の洗浄剤は別の非イオン性界面活性剤であってもよいと考えられる。特定の一実施形態では、第３の洗浄剤は、アルキルオキシポリエチレンオキシエタノール又はアルコールエトキシレートである。一実施形態では、アルキルオキシポリエチレンオキシエタノール又はアルコールエトキシレートは、組成物の総重量に基づいて約１％〜約１５％、最も好ましくは約２％〜約６％の量で存在する。市販のアルコールエトキシレートの例は、テルギトール（ＴＥＲＧＩＴＯＬ）（商標）１５−Ｓ−７又は類似の化合物であってもよい。
【００４０】
好ましい実施形態では、前記界面活性剤は、界面活性剤の特定の組み合わせに加えて、高い洗浄効果、即ち、異物の比較的高い除去率を示し、残存物をほとんど又は全く残さない。
［ヒドロトロープ又は安定化剤］
【００４１】
本明細書で使用される用語「安定化剤」又は「安定剤」は、本発明の中性クリーナー組成物を安定化させることができる任意の化合物又は物質を指す。一実施形態では、安定剤はアニオン性界面活性剤であってもよい。
【００４２】
本明細書で使用される用語「アニオン性界面活性剤」は、アニオン性官能基、例えば硫酸塩、スルホン酸塩、リン酸塩及び／又はカルボン酸塩を含む界面活性剤を指す。顕著なアルキル硫酸塩としては、ラウリル硫酸アンモニウム、ラウリル硫酸ナトリウム、ドデシル硫酸ナトリウム（ＳＤＳ）、及び関連するアルキルエーテル硫酸ラウレス硫酸ナトリウム（ラウリルエーテル硫酸ナトリウム（ＳＬＥＳ）として知られている）及びミレス硫酸ナトリウムが挙げられる。アニオン性界面活性剤には、スルホコハク酸ジオクチルナトリウム、ペルフルオロオクタンスルホン酸塩（ＰＦＯＳ）、ペルフルオロブタンスルホン酸塩、及び直鎖状アルキルベンゼンスルホン酸塩（ＬＡＢ）などのドキュセートも挙げられる。アニオン性界面活性剤にはまた、アルキルアリールエーテルリン酸塩及びアルキルエーテルリン酸塩、又は任意の他の適切なアニオン性界面活性剤が挙げられる。
【００４３】
安定剤又はアニオン性界面活性剤は、組成物の総重量に基づいて約１％〜約２０％の量で中性床用洗浄組成物中に存在してもよい。さらに、安定剤又はアニオン性界面活性剤は、組成物の総重量に基づいて、約５％〜約１６％、最も好ましくは約８％〜約１０％の好ましい量で存在してもよい。
【００４４】
一実施形態では、安定剤はヒドロトロープである。本明細書で使用される用語「ヒドロトロープ」は、疎水性化合物を水溶液中で可溶化する化合物を指す場合がある。典型的には、ヒドロトロープは、界面活性剤のような親水性部分と疎水性部分とからなるが、疎水性部分は一般に自己凝集を起こすには小さすぎる。ヒドロトロープは、自己凝集が「急に」起こり始める臨界濃度（臨界ミセル濃度又はｃｍｃ及び臨界小胞濃度又はｃｖｃを各々有するミセル及び小胞形成界面活性剤に見られる）を有さないことがある。代わりに、いくつかの種のヒドロトロープは段階的自己凝集プロセスで凝集し、徐々に凝集大きさを増加させる。しかし、多くのヒドロトロープは、可溶化物が添加されていない限り、全く凝集していないようである。ヒドロトロープは工業的に使用されている可能性がある。ヒドロトロープの例としては、金属ｐ−トルエンスルホン酸塩及び金属キシレンスルホン酸塩、例えばナトリウムｐ−トルエンスルホン酸塩及び／又はキシレンスルホン酸ナトリウムが挙げられるが、これらに限定されない。ヒドロトロープの別の例は、クメンスルホン酸ナトリウムのような金属クメンスルホン酸塩である。
【００４５】
一実施形態では、中性床用クリーナー組成物の透明な水溶液を製造するためにヒドロトロープが必要である。例えば、中性床用クリーナー組成物中に非水溶性界面活性剤を含む実施形態では、透明な水溶液を得るためにヒドロトロープが必要な場合がある。
【００４６】
好ましい実施形態では、安定剤はスルホン酸塩である。さらに、一実施形態では、安定剤は、キシレンスルホン酸ナトリウムであってもよい。他の実施形態では、安定剤はクメンスルホン酸ナトリウムである。
［ｐＨ調整剤］
【００４７】
いくつかの実施形態では、中性床用クリーナー組成物は、ｐＨ調整剤をさらに含んでもよい。特に、ｐＨ調整剤は、組成物中の１つ以上の成分、例えばアニオン性界面活性剤を中和するために使用され得る。特定の一実施形態では、ｐＨ調整剤は、組成物の総重量に基づいて約０．０１％〜約２％、より好ましくは約０．０５％〜約１％、最も好ましくは約０．０７％〜約０．０９％の量のアルキルアミン対イオンである。
【００４８】
本発明のクリーナー組成物のｐＨ調整剤は、濃縮形態の組成物のｐＨ値が約６．５〜約９の範囲にある濃度で存在し、希釈形態の組成物のｐＨ値は、約６．５〜約８．５、又は好ましくは約７の範囲である。
【００４９】
本明細書で使用される用語「ｐＨ調整剤」は、一般に、中性床用洗浄組成物のｐＨ値を調整するために使用される物質を指す場合がある。一般的なｐＨ調整剤としては、有機塩、有機酸又は無機酸を含む酸、塩基、中和剤、及び／又は緩衝系が挙げられるが、限定されない。適切な酸には、モノカルボン酸、ジカルボン酸、又はポリカルボン酸、例えば酒石酸、シュウ酸、リンゴ酸、クエン酸、及びアスコルビン酸などの脂肪族有機酸、安息香酸、サリチル酸及びカフェー酸などの芳香族有機酸、及び塩酸、硫酸及び硝酸などの無機酸、又は任意の他の適切な酸が挙げられる。適切な塩基には、例えば、水酸化ナトリウム、水酸化カリウム、アンモニア、炭酸ナトリウム、重炭酸ナトリウム、炭酸カリウム、及び重炭酸カリウム又は任意の他の適切な塩基が挙げられる。適切な緩衝系には、ＴＡＥ緩衝系、ＴＢＥ緩衝系、ＥＤＴＡ緩衝系、ＥＧＴＡ緩衝系、Ｔｒｉｓ−ＨＣｌ緩衝系、クエン酸緩衝系、リン酸緩衝系、酢酸緩衝系、ＳＳＰＥ緩衝系、ＳＳＰＥ緩衝系、２−（Ｎ−モルホリノ）エタンスルホン酸（ＭＥＳ）緩衝系、及びピペラジン−Ｎ、Ｎ´−ビス（２−エタンスルホン酸）（ＰＩＰＥＳ）緩衝系又は任意の他の適切な緩衝液が挙げられるが、これらに限定されない。
【００５０】
好ましい一実施形態では、ｐＨ調整剤は、アルキルアミン対イオン、好ましくは、略のアニオン性界面活性剤を中和することができるモノプロパノールアミン対イオンである。本明細書で使用される用語「アルキルアミン対イオン」は、少なくとも１つの炭素原子及びアミンを含む対イオンを指す。アニオン性界面活性剤を中和する場合、アルキルアミンは分子のカチオン性共役酸を形成する。このカチオンは、適切には「アルキルアンモニウム」対イオンと呼んでもよい、一貫性のために、用語「アルキルアミン」又は「アルキルアミン対イオン」も本開示の目的に使用してもよい。好ましくは、アルキルアミン対イオンは、少なくとも２つ又は少なくとも３つの炭素原子を含んでもよい。アルキルアミン対イオンは、約４、５又はそれ以上の炭素原子をさらに含んでもよいが、通常は３つの炭素原子を含んでもよい。アルキルアミン対イオンは好ましくはヒドロキシルの置換を含む。アルキルアミン対イオンの例には、モノエタノールアミン（ＭＥＡ）、コリン、及びプロパノールアミン対イオンなどが含まれる。
【００５１】
好ましい一実施形態では、アルキルアミン対イオンはプロパノールアミン対イオンである。本明細書で使用される用語「プロパノールアミン」は、「モノプロパノールアミン」を指す。アニオン性界面活性剤を中和すると、プロパノールアミンは、分子のカチオン性又は共役酸を形成してもよい。このカチオンは、適切には「プロパノールアンモニウム」対イオンと呼んでもよいが、一貫性のために、用語「プロパノールアミン」又は「プロパノールアミン対イオン」も本開示の目的に使用してもよい。本明細書で使用される「プロパノールアミン対イオン」又はイオンの文脈における用語「プロパノールアミン」の使用は、プロパノールアミンのカチオン性共役酸を指す。本開示のいくつかの実施形態における対イオンとしての使用に適した好ましいプロパノールアミンは、２−アミノ−１−プロパノール（「２ＡＰ」）、モノイソプロパノールアミン（「ＭＩＰＡ」又は「１−アミノ−２−プロパノール」）及び１−アミノ−３−プロパノールなどが挙げられる。イソプロパノールアミンは、塩基性、緩衝性及び／又はアルカリ性の目的を達成するために多くの用途に使用できる塩基性化学物質である。さらに、イソプロパノールアミンは、油及び／又は脂肪成分を可溶化することができ、脂肪酸及び／又はスルホン酸系界面活性剤を中和するために使用してもよい。
【００５２】
いくつかの実施形態では、ｐＨ調整剤には、さらにモノエタノールアミン、モノイソプロパノールアミン、トリエタノールアミン、苛性ソーダ、苛性カリ、クエン酸、乳酸、アンモニアなどが挙げられる。好ましい実施形態では、本開示のｐＨ調整剤はＭＩＰＡである。
［キレート剤］
【００５３】
キレート剤はまた、約０．１％〜約４％の範囲の量で、最も好ましくは約０．５％〜約１％の範囲の量で、本明細書中に開示される中性床用洗浄組成物に組み込むことができる。一般に、本明細書で使用される用語「キレート剤」又は「金属キレート剤」は、金属に結合し得る化合物を指す。キレート剤は、２価金属キレート剤、例えば、エチレンジアミン四酢酸（ＥＤＴＡ）、［エチレンビス（オキシエチレンニトリロ）］四酢酸（ＥＧＴＡ）、１、２−ビス（２−アミノフェノキシ）エタン−Ｎ、Ｎ、Ｎ´、Ｎ´−四酢酸（ＢＡＰＴＡ）、ヒドロキシエチルエチレンジアミン三酢酸（ＨＥＤＴＡ）、イミノジコハク酸、及び／又はそれらの塩である。金属キレート剤にはまた、Ｎ、Ｎ−ビス（カルボキシメチル）−ＤＬ−アラニン三ナトリウム塩（又はニトリロ三酢酸三ナトリウム）又は任意の他の適切なキレート剤が挙げられる。
【００５４】
一実施形態では、本開示のキレート剤はイミノジコハク酸塩である。特定の一実施形態では、本開示のキレート剤は、イミノジコハク酸四ナトリウムである。
【００５５】
更なる実施形態では、少なくとも１つのキレート剤は、エチレンジアミン四酢酸（ＥＤＴＡ）、［エチレンビス（オキシエチレンニトリロ）］四酢酸（ＥＧＴＡ）、１、２−ビス（２−アミノフェノキシ）エタン−Ｎ、Ｎ、Ｎ´、Ｎ´−四酢酸（ＢＡＰＴＡ）、ヒドロキシエチルエチレンジアミン三酢酸（ＨＥＤＴＡ）、及びイミノジコハク酸塩又はそれらの塩が挙げられる。好ましい一実施形態では、少なくとも１つのキレート剤は、イミノジコハク酸四ナトリウムなどの金属イミノジコハク酸塩であってもよいが、これに限定されない。
［増進剤］
【００５６】
中性床用洗浄組成物はまた、洗浄組成物にアルカリ性をさらに加えることができる増進剤を含んでもよい。特に、本明細書で使用される用語「増進剤」は、化合物又は組成物を中和することによって別の化合物又は組成物を安定化することができる化合物又は物質を指す場合もある。さらに、増進剤は、そうでなければ補助界面活性剤又は共界面活性剤と結合してそれを有効にしない可能性があるカルシウム及びマグネシウム硬度イオンを封鎖してもよい。増進剤はまた、補助界面活性剤又は共界面活性剤が使用される場合に特に有用であり、組成物が使用前に例外的に硬質水道水、例えば約１２グレイン／ガロン以上で希釈される場合にさらに有用である。
【００５７】
一実施形態では、本開示の増進剤は金属塩であってもよく、他の実施形態では、増進剤は有機塩であってもよい。より好ましくは、有機塩は、金属クエン酸塩、例えばクエン酸ナトリウムのようなアルカリ金属クエン酸塩であってもよい。いくつかの実施形態では、本開示の増進剤にはまた、炭酸塩、リン酸塩、硫酸塩、クエン酸塩（他のカルボン酸塩）、ケイ酸塩、ゼオライト又はホスホン酸塩が挙げられる。
【００５８】
好ましい一実施形態では、本発明の中性床用クリーナー組成物は、界面活性剤を安定化するための少なくとも１つの増進剤を含む。少なくとも１つの増進剤は、有機塩、有機酸又は無機酸を含む酸、塩基、中和剤、及び／又は緩衝系であってもよいが、これに限定されるものではないと考えられる。このように、増進剤は、ｐＨ調整剤及び／又はキレート剤としても作用し得る。好ましい一実施形態では、少なくとも１つの増進剤及び／又はｐＨ調整剤は、有機塩であってもよく、クエン酸ナトリウムのような金属クエン酸塩であってもよい。一実施形態では、少なくとも１つの増進剤は、中性床用洗浄組成物中に、組成物の総重量に基づいて約０．１重量％〜約４重量％の量で、最も好ましくは約０．５重量％〜約１．５重量％の量で存在してもよい。
【００５９】
特定の実施形態では、増進剤は、洗浄剤及び／又は界面活性剤又は洗浄剤及び／又は界面活性剤の組み合わせに対する相対比及び／又は割合を有する。いくつかの実施形態では、少なくとも１つの洗浄剤に対する増進剤の百分率は約１％〜約１０％であり、好ましい実施形態では、少なくとも１つの洗浄剤に対する増進剤の百分率は約１％〜約６％である。さらに、特定の実施形態では、増進剤は、少なくとも１つのアルキルポリアルキレングリコールエーテルに対する相対比及び／又は割合を有してもよい。この実施形態では、増進剤は、増進剤に対するアルキルポリアルキレングリコールエーテルの比が約１：１〜約１０：１であり、好ましい実施形態では約１：１〜約６：１である。
［水］
【００６０】
好ましい一実施形態では、本発明の中性床用クリーナー組成物は水溶液である。このように、本発明の中性床用クリーナー組成物は、溶媒として水を含んでもよい。さらに、一実施形態では、水は、中性床用クリーナー組成物中に存在する唯一の溶媒である。水は、組成物の総重量に基づいて約５０％〜約８０％の範囲の量で存在してもよい。他の実施形態では、水は、組成物の総重量に基づいて、約５５％〜約７５％、より好ましくは約６０％〜約７０％、最も好ましくは約６４％〜約６８％の量であってもよい。
［その他の成分］
【００６１】
洗浄組成物は、好ましくは、防腐剤、消泡剤、芳香剤、腐食防止剤、及び／又は染料などの添加剤の少なくとも１つを含む。本明細書で使用される用語「添加剤」は、他の物質又は生成物の特性を変更する能力のために、別の物質又は生成物に添加され得る化合物又は物質を指す場合がある。例えば、添加剤は、乳化剤、消泡剤、腐食防止剤などであってもよい。本明細書で使用される用語「乳化剤」は、その動的安定性を増加させることによって乳化を安定化させる物質を指す場合がある。乳化剤の１つのクラスは、「界面活性化剤」又は界面活性剤として知られている。あるいは、乳化剤又は添加剤は、脂肪酸であってもよい。脂肪酸は、洗浄組成物に組み込まれてもよく、それに塗布される表面から類似の脂肪を乳化するのに適していてもよい。脂肪酸は、動物油脂及びグリース及び／又は植物油及び種子油からのものなどの天然の脂肪及び／又は油から得ることができ、例えば、獣脂、魚油、グリース、ヤシ油、パーム油、ピーナッツ油、トウモロコシ油などが挙げられる。好ましい実施形態では、ヤシ脂肪酸を使用してもよい。特定の一実施形態では、ヤシ脂肪酸は、Ｖａｎｔａｇｅ  Ｏｌｅｏｃｈｅｍｉｃａｌｓによって提供される商品名：ＶＤＩＳＴＩＬＬ（商標）で市販されている製品である。さらに、特定の一実施形態では、中性床用洗浄組成物は、添加剤として少なくとも１つの腐食防止剤をさらに含んでもよい。例えば、好ましい実施形態では、腐食防止剤は、一塩基性又は二塩基性のリン酸ナトリウムである。さらに、添加剤は組成物中に、組成物全体に対して約０．１重量％〜約３重量％の範囲の量で存在してもよい。
【００６２】
また、洗浄組成物の塗布中に知覚され得る十分な芳香剤及び場合によっては一時的に持続する香りを添加することが好ましい場合がある。芳香剤は、天然に由来する（即ち、花、ハーブ（ｈｅｒｂ）、ブロサム（ｂｌｏｓｓｏｍ）又は植物の抽出によって得られる）もの、人工的に誘導又は生成されるもの（即ち、天然油及び／又は油成分）、及び合成生成物質（臭気物質）又はそれらの任意の組み合わせを含む任意の水溶性芳香剤物質又はそのような物質の混合物であってもよい。一実施形態では、市販の芳香剤を使用してもよい。最も簡単な実施形態では、芳香剤は、組成物の総重量に対して約１％〜約３％の範囲の量で洗浄組成物に組み込んでもよい。
【００６３】
洗浄組成物はまた、着色剤又は染料を含有してもよい。特に、染料は、洗浄組成物の他の成分と相溶性であるように選択され、洗浄組成物が塗布された表面を染色しないように選択される顔料又は他の着色剤を含んでもよい。例えば、本発明の洗浄組成物の実施形態に使用するために好ましい染料は、組成物の総重量に基づいて約０．００１％〜約０．１％の範囲の量のＬｉｑｕｉｔｉｎｔ（登録商標）クリムゾン（Ｃｒｉｍｓｏｎ）染料又はＬｉｑｕｉｔｉｎｔ（登録商標）ブリリアントオレンジ（Ｂｒｉｌｌｉａｎｔ  Ｏｒａｎｇｅ）染料である。
【００６４】
本発明の洗浄組成物の実施形態に含まれてもよい他の任意の添加剤は、増粘剤、金属イオン封鎖剤、香料、塩、増白剤、酵素、防腐剤などが挙げられるが、これらに限定されない。審美性及び／又は洗浄性能を高めるために、任意の添加剤を組成物に使用してもよい。しかし、これらの添加剤は、組成物中の有効成分と適合性があるべきであり、本明細書で説明するようなビニル染色の阻害を妨げるべきではない。
【００６５】
さらに、一実施形態では、組成物は、約２０ｃＰ〜約３０ｃＰ、より好ましくは約２５ｃＰ〜約３０ｃＰ、最も好ましくは約２８ｃＰ〜約２９ｃＰの範囲の粘度で提供される。いくつかの実施形態では、組成物はまた、約１〜約１．１、より好ましくは約１〜約１．０３の比重を有してもよい。さらに、いくつかの実施形態では、組成物は約２０％〜約３０％の固形分の百分率を有し、より好ましくは約２４％〜約２６％の固形分の百分率を有する。
［希釈］
【００６６】
本開示は、中性床用クリーナー組成物の実施形態を提供する。本実施形態では、中性床用クリーナー組成物は、約６．５〜約９のｐＨ範囲を有する濃縮物として提供されてもよい。この場合、本発明の中性床用クリーナー組成物は、販売、出荷、保管、又は他の適切な目的に使用するために希釈されていない製剤に形成されてもよい。あるいは、中性床用クリーナー組成物は、すぐに使える組成物、即ち濃縮物からの希釈物として提供されてもよい。この特定の実施形態では、濃縮製剤は、使用前に水で希釈するように設計されてもよい。あるいは、中性床用洗浄組成物は、すぐに使える組成物として簡単に提供されてもよい。任意の適切な量の水を濃縮溶液に加えて、それを本開示の実施形態の希釈物又はすぐに使える組成物にしてもよい。例えば、本開示のそのような希釈物又はすぐに使える組成物は、約１：１６から約１：３０７２、好ましくは約１：３２から約１：２０４８、より好ましくは約１：６４〜約１：１０２４の濃縮された中性洗浄組成物と水の比で、本明細書に開示された濃縮物に水を添加することによって製造され得る。しかし、希釈された形態では、中性床用洗浄組成物は約７、即ち約６．５〜約８．５の範囲のｐＨ値を保持することが好ましい。
【００６７】
本明細書に記載されるように、中性床用クリーナー用の本発明の組成物の実施形態は、水、少なくとも１つの水溶性アルキルポリアルキレングリコールエーテル及び少なくとも１つの水不溶性アルキルポリアルキレングリコールエーテルを含む成分の新規で非自明な組み合わせと、有機塩の少なくとも１つの増進剤（例えば、金属クエン酸塩）と、少なくとも１つの安定剤（例えば、ヒドロトロープ）と、少なくとも１つのキレート剤とを含む。
［使用方法］
【００６８】
本開示の中性床用洗浄組成物のいくつかの実施形態は、従来の又は他の公知の工業用床洗浄方法及び従来の設備に従って使用して洗浄及び強化された研磨利益を提供し得る。有利に多くの床用クリーナーの使用に必要とされる個人用保護具が、本開示の組成物では必要でない可能性がある。さらに、本発明の中性床用洗浄組成物中の有効成分としての化学物質の新規で非自明な組み合わせは、消費者が床面又は他の硬質表面を、残存物又はストリークが低減されるか又は残存しないようにより効率的かつ効果的に洗浄することを可能にする。このように、本明細書に開示された特有の製剤は、公知の市販製品の他の組み合わせを使用する製剤よりも驚くべき予期しない結果をもたらす。
【００６９】
一実施形態では、中性ｐＨ条件下で床面を洗浄する方法は、
（ａ）約１：６４〜約１：１０２４の比で濃縮された中性床用クリーナーと水を混合することによって洗浄溶液を調製するステップであって、濃縮された中性床用クリーナーは、（ｉ）クリーナーの総重量に基づいて約５０％〜約７０％の量の水と、（ｉｉ）下記の式に表される少なくとも２つのアルキルポリアルキレングリコールエーテルであって、クリーナーの総重量に基づいて約４〜約３０％、好ましくは約９〜約２０％である少なくとも２つのアルキルポリアルキレングリコールエーテルと、（ｉｉｉ）クリーナーのｐＨ値が約６．５〜約９の範囲にあるようにクリーナーの総重量に基づいて約０．０１％〜約１％の量の少なくとも１つのｐＨ調整剤と、（ｉｖ）少なくとも１つの安定剤、例えばヒドロトロープと、（ｖ）少なくとも１つのキレート剤と、を含むステップと、
（ｂ）洗浄溶液を床に塗布するステップと、を含む。
［式６］
ＲＯ（ＬＯ）ｋ（ＣＨ２ＣＨ２Ｏ）ｍＨ
（式中、ＲはＣ８〜Ｃ１２アルキル基であり、ＬはＣＨ２ＣＨ２ＣＨ２又はＣＨ２ＣＨ２ＣＨ２ＣＨ２であり、ｋは１〜２であり、ｍは２〜１４の整数であり、Ｌ０及びＣＨ２ＣＨ２Ｏ基はランダム又はブロック順である）。
【００７０】
床面を洗浄する好ましい方法は、自動スクラバーを使用してもよい。このような自動スクラバーは市販されており、自動的に洗浄組成物を塗布し、床を擦り、及び／又は床をスキージーして使用済みの洗浄組成物を除去することができる。自動スクラバーでフロアを洗浄する好ましい一方法は、約１：６４〜約１：１０２４の濃縮された洗浄組成物と水の比で濃縮された中性洗浄組成物に水道水又は任意の他の適切な供給源からの水を添加することによって調製された希釈された中性洗浄組成物を使用する。得られた希釈組成物は、約１００ｐｐｍ〜約１２０００ｐｐｍの非イオン性界面活性剤、及び約１ｐｐｍ〜約１００ｐｐｍの増進剤を含んでもよい。
【００７１】
別の好ましい方法では、濃縮された中性床用洗浄組成物を、最初に約１：６４〜約１：１０２４の濃縮された洗浄組成物と水の比で水で希釈する。希釈された組成物は、本明細書に記載されるように、約１００ｐｐｍ〜約１２０００ｐｐｍの非イオン性界面活性剤を含む。希釈された組成物はまた、約２００ｐｐｍ〜約１２０００ｐｐｍのレベルの非イオン性界面活性剤を含んでもよき、さらに約１ｐｐｍ〜約１００ｐｐｍのレベルの増進剤を含んでもよい。希釈された組成物は、モップ又は任意の他の適切な方法を使用して床に塗布され、すすがなくて乾燥させてもよい。
【００７２】
本明細書に記載した実施形態のいずれも、他の実施形態に関連して開示された構造又は方法論のいずれかを含むように変更してもよい。さらに、当業者であれば、特定の実施形態及び実施例に関連して本発明を前記説明してきたが、本発明は必ずしもそのように限定されず、他の多くの実施形態、実施例、及び使用、並びに実施形態、実施例及び使用からの変更及び逸脱は、添付の特許請求の範囲によって包含されるものとすることが理解される。本明細書に引用された各特許及び刊行物の全開示は、そのような各特許又は刊行物が個々に参照により本明細書に組み込まれているかのように、参照により組み込まれる。本発明の様々な特徴及び利点は、下記の特許請求の範囲に記載されている。
［実施例］
【００７３】
本開示は、以下の実施例によってさらに説明されるが、これは決して限定するものと解釈されるべきではない。他に記載がない限り、これらの実施例に列挙された百分率は全て、指定された組成物重量の合計に基づく重量百分率である。さらに、前述したように、本明細書に開示されている洗浄組成物は、塗布された表面に残存物及び／又はストリークがほとんど又は全くない最適な洗浄効果を示す。このように、本明細書に開示される下記の実施例及び試験は、そのようなことを示す比較結果を提供する。
［実施例１］
【００７４】
表１は、本発明の中性床用洗浄組成物のいくつかの実施形態によるいくつかの組成物を列挙する。表中の数字の項目は、組成物の総重量に基づく特定成分の重量百分率、即ち重量％である。このように、下記の５つの組成物、即ち組成物１〜５を以下に示すように製造し、続いて本明細書に記載の相対性能試験に使用した。
【００７５】
【表１】
2019507232.tif 000003
【００７６】
表２は、組成物１〜５の測定された組成物の特性及び特徴を列挙する。特に、ＨＬＢ（合計）値は、界面活性剤の親水性部分の分子量をとり、界面活性剤の分子量で除算し、次いで２０を掛けて算出し、界面活性剤に対する増進剤の百分率は、増進剤の百分率を全界面活性剤の百分率で割って１００を掛けて算出した。
【００７７】
ＨＬＢ値又は数は、界面活性剤の親水性部分と界面活性剤の親油性部分との間の関係又はバランスを表す。要約すると、親水性の程度が高いほど、ＨＬＢ値が高くなり、親油性が高いほど、数は低くなる。ＨＬＢ値は、４ほど低くてもよく、１８ほど高くてもよい。
【００７８】
【表２】
2019507232.tif 000004
［試験］
【００７９】
この実施例では、組成物１〜５の洗浄有効性又は洗浄効果を評価した。さらに、市販のアルカリ洗浄組成物、例えば、Ｓｅａｌｅｄ  ＡｉｒからのＵＨＳＴＭ／ＭＣ及びＧＰ  ＦｏｒｗａｒｄＴＭ／ＭＣ、及び  市販の中性洗浄組成物、例えばＳｅａｌｅｄ  ＡｉｒからのＰｒｏｍｉｎｅｎｃｅＴＭ／ＭＣを比較目的で試験した。洗浄有効性の試験は、洗浄組成物を塗布した後の異物除去率を観察することによって行った。上述したように、本明細書で使用される用語「ｓｏｉｌ」は、一般に、表面上の任意の異物を指す場合がある。
【００８０】
本発明の中性洗浄組成物の５つの非限定的な実施例は、前述の市販の洗浄組成物と共に、洗浄効果試験を施した。最初に、各組成物を開示のように希釈し、開示されている略の量の異物をタイルのストリップ上に置き均一に広げた。試験した組成物の量、即ち約１５ｇをタイルにスポンジを使用して塗布し、１０回の打撃行った。さらに、試験した各組成物について３つのタイルを使用した。除去率を測定するための類似の試験方法は、ＡＳＴＭ国際指定番号Ｄ４４８８−９５に開示されており、弾性床材及び洗える壁に使用する製品の洗浄性能を試験するための標準試験方法である。ＡＳＴＭ国際指定番号Ｄ４４８８−９５の全体が参照により本明細書に組み込まれる。
【００８１】
表３は、洗浄効果試験の定性的性能結果をまとめたものである。表３に示すように、中性床用洗浄組成物は、約１０．５〜約１２．５の範囲のＨＬＢで約５０％を超える洗浄効率を達成し、全界面活性剤の百分率が約１５％〜約３０％であり、増進剤界面活性剤の固形分に対する増進剤の百分率が約３％〜約１２％である。
【００８２】
【表３】
2019507232.tif 000005
［実施例２］
【００８３】
表４〜６は、本発明の中性床用洗浄組成物のいくつかの実施形態によるいくつかの組成物を列挙する。表中の数字の項目は、組成物の総重量に基づいて特定成分の重量百分率、即ち重量％である。以下に示すように組成物１〜１１を製造し、続いて本明細書に記載の相対性能試験に使用した。
【００８４】
組成物１〜９は、比較的類似の化学成分を有するが、それらの相対的重量百分率に関して異なる。特に、組成物１〜９は水と、増進剤、キレート剤及び／又はｐＨ調整剤としてのクエン酸ナトリウムと、界面活性剤としてテルギトール（商標）１５−ｓ−７、ルテゾール（登録商標）ＸＬ−７０、及びルテゾール（登録商標）ＸＬ−４０と、ヒドロトロープとしてのキシレンスルホン酸ナトリウムと、ｐＨ調整剤としてのモノイソプロパノールアミン（ＭＩＰＡ）と、添加剤としてＶＤＩＳＴＩＬＬ（商標）ＤＣ０１及び市販の芳香剤とを含む。組成物１０は、追加の添加剤を含む本発明の中性床用クリーナー組成物の他の実施形態を表す。この例では、組成物１０は、キレート剤、即ち、イミノジコハク酸四ナトリウムと、染料、即ちＬｉｑｕｉｔｉｎｔ（登録商標）クリムゾンと、防腐剤、即ちＰｒｏｘｅｌ（登録商標）ＧＸＬとをさらに含む。さらに他の実施形態では、組成物１１として示されるように、中性床用洗浄組成物は、代替の界面活性剤、例えばゲナポール（登録商標）ＵＤ３０及び／又は染料、例えばＬｉｑｕｉｔｉｎｔ（登録商標）ブリリアントオレンジを含んでもよい。従って、表４〜６に列挙した組成物は、中性床用洗浄組成物のいくつかの実施形態を開示するが、本発明は必ずしもそのように限定されず、本明細書に記載の他の多くの実施形態は、そこに塗布された表面に残存物及び／又はストリークがほとんど又は全くない最適な洗浄効果を提供することができる。
【００８５】
【表４】
2019507232.tif 000006
【００８６】
【表５】
2019507232.tif 000007
【００８７】
【表６】
2019507232.tif 000008
【００８８】
表７は、組成物１〜１０の測定された組成物の特性及び特徴を列挙する。特に、ＨＬＢ（ＸＬ  Ｂｌｅｎｄ）値は、ＸＬ界面活性剤の親水性部分の分子量をとり、分子全体の分子量で割って２０を掛けて算出した。ＨＬＢ（合計）値は、界面活性剤の親水性部分の分子量をとり、界面活性剤の分子量で割って２０を掛けることによって算出した。界面活性剤に対する増進剤の百分率は、増進剤の百分率を全界面活性剤の百分率で割って１００を掛けて算出した。
【００８９】
上に開示すように、ＨＬＢ値又は数は、界面活性剤の親水性部分と界面活性剤の親油性部分との間の関係又はバランスを表す。要約すると、親水性の程度が高いほど、ＨＬＢ値が高くなり、親油性が高いほど、数は低くなる。ＨＬＢ値は、４ほど低くてもよく、１８ほど高くてもよい。
【００９０】
【表７】
2019507232.tif 000009
【００９１】
前述のように、本発明の中性床用洗浄組成物の実施形態は、ストリーク及び／又は残存物がほとんど又は全くない、最適な洗浄効果を有する洗浄組成物を提供する。具体的には、本明細書に開示された特定の成分は、互いの組成物と共に、前述の特性をもたらす。特に、本明細書に開示される界面活性剤は、最も高い洗浄効果を有する最も低い残存物を提供する。さらに、前述のように、増進剤を使用して界面活性剤を安定化させることができる。
【００９２】
図１は、他の市販製品と比べて、本開示の一実施形態による、中性床用クリーナー組成物の異物除去率（好ましくは約５４．４５％）と、ＨＬＢ値、全界面活性剤の量、又は面活性剤に対する増進剤の量との関係を示す。従って、中性床用洗浄組成物の性能に影響を与え得る特定のパラメータが決定された。具体的には、洗浄効果及び／又はストリークを制御するためのパラメータは、ＨＬＢ値、界面活性剤の総量、及び界面活性剤の固形分に対する増進剤の百分率の組み合わせである。このように、組成物１〜１０で使用される界面活性剤の量及び増進剤の量を変更して、その効果を観察した。また、ＨＬＢ値、界面活性剤の総量、及び界面活性剤の固形分に対する増進剤の百分率の好ましい値は、各々、約１１．５、２０．１９及び５．０４６であり得ることが判明した。
【００９３】
上述したように、図１に示すように、洗浄効果及び残存物等級は、組成物の、ＨＬＢ系、全界面活性剤の百分率、及び界面活性剤の固形分に対する増進剤の百分率に直接相関していることが判明した。従って、組成物１〜１０について更なる試験を実施し、具体的には、試験した組成物のＨＬＢ値、ＸＬ界面活性剤の百分率及び界面活性剤の固形分特性に対する増進剤の百分率と比較した。
［試験］
【００９４】
最初に、組成物１〜１１の洗浄有効性又は洗浄効果を評価した。さらに、市販のアルカリ性洗浄組成物、即ち、Ｓｅａｌｅｄ  ＡｉｒからのＵＨＳＴＭ／ＭＣ及びＧＰ  ＦｏｒｗａｒｄＴＭ／ＭＣ及び市販の中性洗浄組成物、即ちＳｅａｌｅｄ  ＡｉｒからのＰｒｏｍｉｎｅｎｃｅＴＭ／ＭＣを比較目的で試験した。洗浄有効性の試験は、洗浄組成物を塗布した後の異物除去率を観察することによって行った。上述したように、本明細書で使用される用語「ｓｏｉｌ」は、一般に、表面上の任意の異物を指す場合がある。
【００９５】
本発明の中性洗浄組成物の１１つの非限定的な実施例は、前述の市販の洗浄組成物と共に、当技術分野で公知の方法を使用して洗浄効果試験を施した。要約すると、各組成物は最初に１：６４の希釈を行った。次いで、略の量の異物を、タイルのストリップ上に置き均一に広げた。試験した組成物の約１５ｇをタイルにスポンジを使用して塗布し、１０回の打撃を行った。さらに、試験した各組成物について３つのタイルを使用した。除去率を測定するための類似の試験方法は、ＡＳＴＭ国際指定番号Ｄ４４８８−９５に開示されており、弾性床材及び洗える壁に使用する製品の洗浄性能を試験するための標準試験方法である。ＡＳＴＭ国際指定番号Ｄ４４８８−９５の全体が参照により本明細書に組み込まれる。組成物１０はまた、ＡＳＴＭ国際指定番号Ｄ４４８８−９５に開示されている試験方法を使用し、比色計を使用して試験した。
【００９６】
さらに、第２の試験を実施して、洗浄組成物が塗布された表面に存在する残存物の量に対するストリーク等級を決定した。前記市販のアルカリ性及び中性洗浄組成物と共に表４〜６に記載の洗浄組成物を以下のようにして残存物試験を施した。試験した組成物に対して１：１２８希釈を行った。次いで、試験した組成物を、タイル上に置き均一に分布させた。観察された全残存物を定性的にランク付けするために３点スケール（０〜３）を使用した。スコア「０」は、タイル上に目に見える残存物が検出されなかったことを示す。スコア「３」は、かなりの残存物が見えることを示す。ストリーク又は残存物の等級を測定するための同様の試験方法は、窓又は鏡のようなガラス表面上での使用を意図した製品のフィルム及びストリーク特性をＣＳＰＡ指定番号ＤＣＣ−０９Ａで評価するための標準試験方法であり、その内容は参照により本明細書に組み込まれる。残存物及び／又はストリーク等級を決定するために別の方法を使用してもよい。
【００９７】
表８は、洗浄効果及び残存物試験の定性的性能結果をまとめたものである。表７の組成物を使用して、表８に示すように、中性床用洗浄組成物は、約１０．５〜約１２．５の範囲のＨＬＢで、５０％を超える洗浄効果、又は好ましくは約５５％の洗浄効率を達成し、全界面活性剤は約１５％〜約３０％であり、界面活性剤の固形分に対する増進剤の百分率は約３％〜約１２％である。
【００９８】
以前に開示すように、組成物１０は、ＡＳＴＭ国際指定番号Ｄ４４８８−９５の下に開示された試験方法を使用し、比色計を使用してさらに試験された。この試験の間、除去率は５４．７９％であると決定された。対照的に、組成物１０の除去率は、本明細書で使用される方法で試験した場合、５５．２５％であると決定された。その結果、本明細書で使用される試験方法及びその結果は、ＡＳＴＭ国際指定番号Ｄ４４８８−９５の下で開示された試験方法を相当に類似していることが決定された。しかし、代替の方法を使用して、洗浄効果を決定してもよい。
【００９９】
【表８】
2019507232.tif 000010
【０１００】
表８に示すように、現在開示されている中性洗浄組成物の多くは、改良された洗浄特性を示す。特に、改良された洗浄特性は、本発明の中性床用クリーナーの実施形態の化学物質、例えば、少なくとも１つの水溶性アルキルポリアルキレングリコールエーテル及び少なくとも１つの水不溶性アルキルポリアルキレングリコールエーテルの特有の組み合わせの結果である。好ましい実施形態では、中性床用洗浄組成物は、少なくとも２つの市販のアルカリ性洗浄組成物、即ちＳｅａｌｅｄ  ＡｉｒからのＵＨＳＴＭ／ＭＣ及びＧＰ  ＦｏｒｗａｒｄＴＭ／ＭＣ及び少なくとも１つの市販の中性洗浄組成物、即ちＰｒｏｍｉｎｅｎｃｅＴＭ／ＭＣを実証する。
【０１０１】
前述したように、特定の実施形態及び実施例に関連して本発明を上述したが、本発明は必ずしもそのように限定されず、他の多くの実施形態、実施例、使用、並びに実施形態、実施例及び使用からの変更及び逸脱は、添付の特許請求の範囲によって包含されるものとする。本明細書に引用された各特許及び刊行物の全開示は、そのような各特許又は刊行物が個々に参照により本明細書に組み込まれているかのように、参照により組み込まれる。本発明の様々な特徴及び利点は、添付の特許請求の範囲に記載されている。
【産業上の利用可能性】
【０１０２】
本開示は、少なくとも２つの洗浄剤を含有する中性床用クリーナー組成物を提供する。本開示はまた、これらの中性床用クリーナー組成物を使用する方法を提供する。
【０１０３】
前記の説明を考慮して、本開示に対する複数の変更が当業者には明らかであろう。従って、この説明は、例示に過ぎないと解釈されるべきであり、当業者が本開示の実施形態を作成して使用することを可能にし、同様の実施の最良の形態を教示することを可能にするために提示される。添付の特許請求の範囲に含まれる全ての変更に対する排他的権利は留保される。
【図１】
2019507232.tif 000011
【国際調査報告】
2019507232.tif 000012
2019507232.tif 000013
2019507232.tif 000014